(57)【特許請求の範囲】
【請求項１】
ＬＡＡ（ｌｉｃｅｎｓｅｄ  ａｓｓｉｓｔｅｄ  ａｃｃｅｓｓ）における秘匿ノードを検出するための、ユーザ機器により実行される方法であって、
秘匿ノード検出測定のためのリソースを決定するステップと、
秘匿ノード検出測定のためのどのリソースが位置するサブフレームに対して、第１サービス提供ネットワーク要素が、それぞれの動作チャネルを占有するか否かを決定するステップと、
前記第１サービス提供ネットワーク要素が、前記動作チャネルを占有していると判断される場合には、前記決定されたリソースにおいて秘匿ノード検出測定を実行するステップと、
前記秘匿ノード検出測定の結果を、第２サービス提供ネットワーク要素に送信するステップと、
を含み、
前記第１サービス提供ネットワーク要素が、アンライセンス・キャリアの上の第１セルに対応し、
前記第２サービス提供ネットワーク要素は、アンライセンス・キャリアの上の第２セルに対応し、
前記第１サービス提供ネットワーク要素および前記第２サービス提供ネットワーク要素は、キャリア・アグリゲーションを用いてアグリゲートされ、
前記第１セルは、二次セルであり、
前記第２セルは、主セルである、
方法。
【請求項２】
前記第１サービス提供ネットワーク要素がチャネルを占有していないとき、秘匿ノード測定は、実行されず、レポートもされない、請求項１に記載の方法。
【請求項３】
前記リソースは、時間および周波数のうちの少なくとも１つである、請求項１または２に記載の方法。
【請求項４】
前記リソースは、チャネル状態情報干渉測定リソースであり、ラジオ・リソース・シグナリングを介して構成される、
請求項１ないし３のいずれか１項に記載の方法。
【請求項５】
前記第１サービス提供ネットワーク要素のチャネル占有は、ダウンリンク・スケジューリングに基づいて決定される、
請求項１ないし４のいずれか１項に記載の方法。
【請求項６】
前記秘匿ノード検出測定の結果は、観察された干渉レベル、または、予め設定されたビット数に量子化されたチャネル品質レベルを示す情報を提供する、請求項１ないし５のいずれか１項に記載の方法。
【請求項７】
前記秘匿ノード検出測定の結果は、物理アップリンク制御チャネル、もしくは、前記第２サービス提供ネットワーク要素によって構成された物理アップリンク共用チャネル・リソースにより定期的にレポートされる、または、
周期的もしくは非周期的チャネル状態情報レポートに埋め込まれる、
請求項１ないし６のいずれか１項に記載の方法。
【請求項８】
ＬＡＡ（ｌｉｃｅｎｓｅｄ  ａｓｓｉｓｔｅｄ  ａｃｃｅｓｓ）において、秘匿ノードを検出するための、基地局またはネットワーク要素により実行される方法であって、
秘匿ノード検出測定のためのリソースを構成するステップと、
ユーザ機器へ該ユーザ機器が秘匿ノード検出測定のためのリソースが位置するサブフレームに対して、第１サービス提供ネットワーク要素が、それぞれの動作チャネルを占有するか否かを決定し、前記第１サービス提供ネットワーク要素が、前記動作チャネルを占有していると判断される場合には、前記構成されたリソースにおいて、前記ユーザ機器により秘匿ノード検出測定を実行することを可能にする標示を送信するステップ、
前記ユーザ機器から第２サービス提供ネットワーク要素に送信された前記秘匿ノード検出測定の結果を受信するステップと、
を含み、
前記第１サービス提供ネットワーク要素が、アンライセンス・キャリアの上の第１セルに対応し、
前記第２サービス提供ネットワーク要素は、アンライセンス・キャリアの上の第２セルに対応し、
前記第１サービス提供ネットワーク要素および前記第２サービス提供ネットワーク要素は、キャリア・アグリゲーションを用いてアグリゲートされ、
前記第１セルは、二次セルであり、
前記第２セルは、主セルである、
方法。
【請求項９】
前記基地局または前記ネットワーク要素により、前記構成されたリソースに関する情報を、前記ユーザ機器に送信するステップを更に含む請求項８に記載の方法。
【請求項１０】
前記第１サービス提供ネットワーク要素が前記動作チャネルを占有するという前記標示が、所与のサブフレーム、または、サブフレームのセットが、前記ＬＡＡ（ｌｉｃｅｎｓｅｄ  ａｓｓｉｓｔｅｄ  ａｃｃｅｓｓ）におけるダウンリンク送信のために使用されることである、請求項８または９に記載の方法。
【請求項１１】
第１サービス提供ネットワーク要素のチャネル占有の前記標示は、ダウンリンク・スケジューリングである、
請求項８ないし１０のいずれか１項に記載の方法。
【請求項１２】
処理手段とメモリ手段とを備える装置であって、該メモリ手段は、該装置に、前記処理手段の上で動作するとき、請求項１ないし１１のいずれか１項に記載の方法を実行させるように構成されるプログラム命令を格納している、装置。
【請求項１３】
装置に、該装置の処理手段の上で動作するとき、請求項１ないし１１のいずれか１項に記載の方法を実行させるように構成されるコンピュータ命令を備えるコンピュータ・プログラム。
【発明の詳細な説明】
【技術分野】
【０００１】
本願発明は、一般に、有線および無線通信ネットワークに関し、より詳細には、ＬＴＥ（Ｌｏｎｇ  Ｔｅｒｍ  Ｅｖｏｌｕｔｉｏｎ）ＬＡＡ（Ｌｉｃｅｎｓｅｄ−Ａｓｓｉｓｔｅｄ  Ａｃｃｅｓｓ）に対する改善された秘匿ノード（ｈｉｄｄｅｎ  ｎｏｄｅ）の検出を可能にする方法、装置およびコンピュータ・プログラム・プロダクトに関する。
【背景技術】
【０００２】
モバイル・データ伝送およびデータ・サービスは、絶えず進歩しており、そのようなサービスは、音声、ビデオ、パケット・データ、メッセージ送信、ブロードキャスト、その他の種々の通信サービスを提供する。近年、ＬＴＥ（Ｌｏｎｇ  Ｔｅｒｍ  Ｅｖｏｌｕｔｉｏｎ）（登録商標）が、定められた。これは、３ＧＰＰ仕様にしたがってラジオ通信アーキテクチャとしてＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を使用する。
【０００３】
本願明細書は、免許不要スペクトルＬＴＥ−Ｕの上でＬＴＥ動作に焦点を合わせる。これは、また、ＬＡＡ（Ｌｉｃｅｎｓｅｄ−Ａｓｓｉｓｔｅｄ  Ａｃｃｅｓｓ）と呼ばれる。それによって、同一のアンライセンス・キャリアにおいてＬＴＥ  ＬＡＡおよびＷｉＦｉノードが、展開されるシナリオにおいて、典型的にはＷｉＦｉアクセス・ポイントＡＰなど、秘匿ネットワーク・ノードの検出が、特に強調される。
【０００４】
３ＧＰＰスタディ・アイテムＲＰ−１４１６４６において、ＬＴＥを使用するＬＡＡ（ｌｉｃｅｎｓｅｄ  ａｓｓｉｓｔｅｄ  ａｃｃｅｓｓ）が承認された。それでも、世界のいくつかの地域では、ＬＴＥとＷＬＡＮやＬＴＥオペレータの間でまた将来の可能な技術など他の技術との間の公正な共存を提供するために、ＬＢＴ（Ｌｉｓｔｅｎ−Ｂｅｆｏｒｅ−Ｔａｌｋ）  などアンライセンス技術が、特定の規則に残る必要がある。
【０００５】
上記のＬＢＴに関しては、ＬＴＥ−Ｕにしたがって、送信を許される前に、ｅＮｏｄｅＢなどのユーザまたはアクセス・ポイントは、規則の要求に依存して、そのスペクトルが、ある他の伝送によってすでに占有されないことを確認するために、短時間の間所与のラジオ周波数をモニターすることを必要とすることがあり得る。この要求はＬＢＴ（Ｌｉｓｔｅｎ−Ｂｅｆｏｒｅ−Ｔａｌｋ）と呼ばれる。
【０００６】
ＬＡＡに関して、他の技術と共存し、規則の要求を満たしながら、ＬＴＥをＬＡＡ（ｌｉｃｅｎｓｅｄ  ａｓｓｉｓｔｅｄ  ａｃｃｅｓｓ）を可能にするように免許不要スペクトルに強化する単一のグローバル・ソリューションを見出すことが望ましい。単一のグローバル・ソリューションとは、ＬＴＥ  ＬＡＡが、すべての規制機関の組み合わせた要求を満たさなければならないことを意味する。
【０００７】
上記した３ＧＰＰ仕様（スタディ・アイテム）ＲＰ−１４１６４６によると、可能解のいくつかのガイダンスが提供される。すなわち、識別された強化は、可能な限りＬＴＥの特徴を再利用すべきである。更に、複数のオペレータが、同一のアンライセンス・スペクトルバンドにおいてＬＴＥを展開する場合を含めて、単一およびマルチ・オペレータ・シナリオが、カバーされる。最後に、ＤＬのみのシナリオの完成に高い優先度が与えられるべきである。
【０００８】
ＬＴＥ  ＬＡＡにおいて鍵となる仮定は、アンライセンス・キャリアだけを使用しているスタンド・アローンのオペレーションが排除されることである。ライセンス帯域の上の一次電池ＰＣｅｌｌの間でのキャリア・アグリゲーション、および、免許不要帯域の上の１つ以上の二次セルＳＣｅｌｌが、常に、仮定される。
【０００９】
チャネル状態情報ＣＳＩ測定を、秘匿ノードの存在についての情報を得るために使用することができる１つの既存のソリューションとして見ることができる。しかしながら、ＣＳＩレポートのみ頼ることは、信頼性に欠ける。その理由の１つは、ＣＳＩ測定とレポートは、ＬＢＴなどの規則の要求を考慮しないことである。
【００１０】
秘匿ノードを検出するためにさらに考えられる方法は、トランスミッタ（例えば、ｅＮＢ）およびレシーバ（例えばＵＥ）において、同時に、ＬＢＴ（クリア・チャネル評価ＣＣＡ）を実行することである。すなわち、ｅＮＢおよびＵＥの両方がビジー・チャネルを検出するならば、おそらく、秘匿ノードは存在しない。更に、ｅＮＢがフリー・チャネルを検出するが、ＵＥがビジー・チャネルを検出するならば、秘匿ノードが存在する。ｅＮＢがビジー・チャネルを検出し、ＵＥが、フリー・チャネルを検出する場合は、特に関心はない。しかしながら、ｅＮＢおよびＵＥが、同時にＬＢＴを実行する測定手順をつくることが理論的に可能な間は、仕様の影響が、大きくなることがあり得る。
【００１１】
しかしながら、ＬＴＥ  ＬＡＡアップリンク動作を防ぎ、共存を難しくしている秘匿ノードを検出するための方法の改善されたソリューションが依然として必要である。
【発明の概要】
【００１２】
したがって、先行技術の欠点を克服するために、ＬＴＥ  ＬＡＡの特性を考慮に入れて、秘匿ノード検出問題に対して新規のソリューションを提供することが、本願発明の根底にある目的である。
【００１３】
特に、ＬＴＥ  ＬＡＡ（ｌｉｃｅｎｓｅｄ  ａｓｓｉｓｔｅｄ  ａｃｃｅｓｓ）に対する改善された秘匿ノードの検出を可能にする方法、装置およびコンピュータ・プログラム・プロダクトを提供することが本願発明の目的である。
【００１４】
本願発明の第１の態様にしたがって、秘匿ノード検出測定のためのリソースを決定するステップと、秘匿ノード検出測定のためのリソースが位置するサブフレームに対して、第１のサービス提供ネットワーク要素が、前記それぞれの動作チャネルを占有するか否かを判断するステップと、を含む、ＬＡＡ（ｌｉｃｅｎｓｅｄ  ａｓｓｉｓｔｅｄ  ａｃｃｅｓｓ）における秘匿ノードを検出するための、ユーザ機器により実行される方法が提供される。前記第１サービス提供ネットワーク要素が、前記動作チャネルを占有していると判断される場合には、前記決定されたリソースにおいて秘匿ノード検出測定を実行し、前記秘匿ノード検出測定の結果を、第２サービス提供ネットワーク要素に送信する。
【００１５】
本願発明の第２の態様にしたがって、ＬＡＡ（ｌｉｃｅｎｓｅｄ  ａｓｓｉｓｔｅｄ  ａｃｃｅｓｓ）において、秘匿ノードを検出するための、基地局またはネットワーク要素により実行される方法が提供される。この方法は、秘匿ノード検出測定のためのリソースを決定するステップと、ユーザ機器へユーザ機器が秘匿ノード検出測定のためのリソースが位置するサブフレームに対して、第１のサービス提供ネットワーク要素が、前記それぞれの動作チャネルを占有するかどうかを決定することを可能にする標示を送信するステップと、前記第１サービス提供ネットワーク要素が、前記動作チャネルを占有していると判断される場合には、ユーザ機器により秘匿ノード検出測定を実行し、前記決定されたリソースにおいてを含む。前記ユーザ機器から前記秘匿ノード検出測定結果を受信する。
【００１６】
本願発明の第３の態様にしたがって、少なくとも１つのプロセッサと、該プロセッサによって実行される命令を格納するための少なくとも１つのメモリとを備える、ＬＡＡ（ｌｉｃｅｎｓｅｄ  ａｓｓｉｓｔｅｄ  ａｃｃｅｓｓ）における秘匿ノードを検出するための、ユーザ機器において使用される装置が提供される。この装置において、前記少なくとも１つのメモリおよび前記命令は、前記少なくとも１つのプロセッサを用いて、前記装置に、少なくとも、秘匿ノード検出測定のためのリソースを決定するステップと、秘匿ノード検出測定のためのリソースが位置するサブフレームに対して、第１のサービス提供ネットワーク要素が、前記それぞれの動作チャネルを占有するかどうかを決定するステップを含む、ＬＡＡ（ｌｉｃｅｎｓｅｄ  ａｓｓｉｓｔｅｄ  ａｃｃｅｓｓ）の秘匿ノードを検出することを実行させるように構成される。前記第１サービス提供ネットワーク要素が、前記動作チャネルを占有していると判断される場合に、前記決定されたリソースにおいて秘匿ノード検出測定を実行し、前記秘匿ノード検出測定の結果を、第２サービス提供ネットワーク要素に送信する。
【００１７】
本願発明の第４の態様にしたがって、少なくとも１つのプロセッサと、そのプロセッサによって実行される命令を格納するための少なくとも１つのメモリとを備える、ＬＡＡ（ｌｉｃｅｎｓｅｄ  ａｓｓｉｓｔｅｄ  ａｃｃｅｓｓ）において、秘匿ノードを検出するための、基地局またはネットワーク要素において使用される装置が提供される。この装置において、前記少なくとも１つのメモリおよび前記命令は、前記少なくとも１つのプロセッサを用いて、前記装置に、少なくとも、秘匿ノード検出測定のためのリソースを決定するステップと、ユーザ機器へ該ユーザ機器が秘匿ノード検出測定のためのリソースが位置するサブフレームに対して、第１のサービス提供ネットワーク要素が、前記それぞれの動作チャネルを占有するかどうかを決定することを可能にする標示を送信するステップと、を実行させるように構成される。前記第１サービス提供ネットワーク要素が、前記動作チャネルを占有していると判断される場合に、前記決定されたリソースにおいてユーザ機器により秘匿ノード検出測定を実行し、前記ユーザ機器から前記秘匿ノード検出測定結果を受信する。
【００１８】
本願発明の第５の態様にしたがって、プログラムが動作するときに、第１の態様または第２の態様にしたがう方法を実行するように構成されるコンピュータ実行可能なコンポーネントを備えるコンピュータ・プログラム・プロダクトが提供される。
【００１９】
本願発明の前述した例示的な態様の有利な更なる開発または修正が、従属形式の請求項において述べられる。
【００２０】
本願発明の特定の実施形態にしたがって、前記第１サービス提供ネットワーク要素が、アンライセンス・キャリアの上の第１のセルに対応し、前記第２サービス提供ネットワーク要素は、アンライセンス・キャリアの上の第２のセルに対応する。
【００２１】
本願発明の特定の実施形態にしたがって、前記第１および前記第２ネットワーク要素は、キャリア・アグリゲーションを用いてアグリゲートされ、前記第１セルは、二次セルであり、前記第２セルは、主セルである。
【００２２】
本願発明の特定の実施形態にしたがって、前記第１サービス提供ネットワーク要素がチャネルを占有していないとき、秘匿ノード測定は、実行されず、レポートもされない。
【００２３】
本願発明の特定の実施形態にしたがって、前記リソースは、時間および周波数のうちの少なくとも１つである。
【００２４】
更に、本願発明の特定の実施形態にしたがって、そのリソースは、チャネル状態情報干渉測定リソースであり、制御信号をラジオ・リソースを通して構成される。
【００２５】
更に、本願発明の特定の実施形態にしたがって、前記リソースは、主同期信号、および、二次同期信号のうちの少なくとも１つに隣接して位置する使用されていないリソース要素である。
【００２６】
更に、本願発明の特定の実施形態にしたがって、前記第１サービス提供ネットワーク要素が動作チャネルを占有することの標示は、所与のサブフレーム、または、サブフレームのセットが、前記ＬＡＡ（ｌｉｃｅｎｓｅｄ  ａｓｓｉｓｔｅｄ  ａｃｃｅｓｓ）におけるダウンリンク送信のために使用されることである。
【００２７】
更に、本願発明の特定の実施形態にしたがって、前記第１サービス提供ネットワーク要素のチャネル占有は、ダウンリンク・スケジューリングに基づいて決定される。物理ダウンリンク制御チャネルの上のダウンリンク制御情報の受信は、前記サービス提供ネットワーク要素が、前記動作チャネルを占有していることを示す。
【００２８】
本願発明の特定の実施形態にしたがって、前記秘匿ノード検出測定結果は、前記観察された干渉が所定の閾値を上回るか否かを示す情報を提供する。
【００２９】
更に、本願発明の特定の実施形態にしたがって、前記秘匿ノード検出測定結果は、前記観察された干渉、または、予め設定されたビット数に量子化されたチャネル品質レベルを示す情報を提供する。
【００３０】
更に、本願発明の特定の実施形態にしたがって、前記秘匿ノード検出測定結果は、物理アップリンク制御チャネルによって、または、前記第２サービス提供ネットワーク要素により構成された物理アップリンク共用チャネル・リソースによって、定期的にレポートされる、もしくは、周期的または非同調チャネル状態情報レポートに埋め込まれる。すなわち、チャネル状態情報レポートは、秘匿ノードの存在を標示することができる。
【００３１】
更に、本願発明の特定の実施形態にしたがって、前記受信信号強度インディケータ、前記基準信号受信電力、および、構成リソースから基準信号受信品質のうちの少なくとも１つが、計算され、該計算の結果が、前記第２サービス提供ネットワーク要素に折り返しレポートされる。
【図面の簡単な説明】
【００３２】
本願発明の実施形態のより完全な理解のために、次に、添付の図面に関する以下の記載を参照する。ここで、
【図１】図１は、ＬＴＥ  ＬＡＡ動作における秘匿ノード問題の図を示す。
【図２】図２は、本願発明のある実施形態にしたがう、ユーザ装置において実行される方法を図示する。
【図３】図３は、本願発明のある実施形態にしたがうユーザ装置中に備えられる装置の一般的な構造を表す。
【図４】図４は、本願発明のある実施形態にしたがう、基地局またはネットワーク要素において実行される方法を図示する。
【図５】図５は、本願発明のある実施形態にしたがう基地局またはネットワーク要素において備えられる装置の一般的な構造を表す。
【図６】図６は、本願発明のある実施形態にしたがう秘匿ノード検出およびレポートの手続きのシグナリングとアクション・フローを示す。
【発明を実施するための形態】
【００３３】
本願発明の例示的な態様が、ここに、以下で記述される。より詳細には、本願発明の例示的な態様は、以下、特定の非限定的な例、および本願発明の考えられる実施形態であると現在考えられることを参照して記述される。当業者は、本願発明は、これらの例に決して限られておらず、さらに広く適用することができることを理解する。
【００３４】
本願発明の以下の説明、および、その実施形態は、主に、ある例示的なネットワーク構成と展開のための非限定的な例として用いられる明細書を参照することに留意すべきである。すなわち、本願発明および、その実施形態は、主に、ある例示的なネットワーク構成および配備の非限定的な例として使用される３ＧＰＰ仕様に関連して記述される。このため、ここに与えられる例示的な実施形態の記載は、特に、それに直接的に関連した用語を参照する。そのような用語は、提示された非限定的な例のコンテキストにおいて使われるだけであり、当然、いかなる方法においても本願発明を制限するものではない。むしろ、他のどのネットワーク構成またはシステム配備などもまた、ここに記載された特徴にしたがう限り利用される。
【００３５】
本願開示のいくつかの例示的バージョンおよび例示的実施形態が、図面を参照して記載される。以下において、異なる例示的実施形態が、通信ネットワークの例として、ＬＴＥまたはＬＴＥ−Ａ（ＬＴＥ−Ａｄｖａｎｃｅｄ）システムなどのセルラ無線通信ネットワークを用いて記述される。しかしながら、本願発明は、通信システムのそのようなタイプを使用するアプリケーションに制限されるものでなく、無線システム、有線システム、または、その組合せを用いたシステムであれ、他のタイプの通信装置においても適用できることに留意すべきである。
【００３６】
以下では、本願発明の種々の例示的実施形態およびインプリメンテーションは、また、その態様や実施形態は、いくつかの選択肢を使用して記述される。特定のニーズと制約にしたがって、記述された選択肢のすべてが、単独で提供されることができる、または、種々の選択肢の個々の特徴の組合せも含む任意の考えられる組合せにおいて、提供されることができることが、一般的に留意される。
【００３７】
特に、以下の例および実施形態は、例を説明するだけとして理解されるべきものである。本願明細書において、いくつかの箇所で、「１つの（ａｎ、ｏｎｅ）」または、「いくつかの（ｓｏｍｅ）」例または実施形態として参照するけれども、これは、そのような参照の各々が、同一の例または実施形態に対してである、あるいは、その特徴が、単一の例あるいは実施形態にあてはまるだけであることを必ずしも意味するわけではない。異なる実施形態の単一の特徴は、また他の実施形態を提供するために、結合することができる。更にまた、「備える（ｃｏｍｐｒｉｓｉｎｇ）」および「含む（ｉｎｃｌｕｄｉｎｇ）」という単語は、記述された実施形態をここに述べられたそれらの特徴のみから成るものに制限するものではないことを理解されなければならない。および、そのような例および実施形態は、また、特に言及されなかった特徴、構造、ユニット、モジュールその他を含むこともできる。
【００３８】
一般に、通信ネットワークは、発展ＮｏｄｅＢ（ｅＮＢ、すなわち、ＬＴＥ環境におけるベース局）、ユーザ機器ＵＥ（例えば、携帯電話、スマート電話、コンピュータ等）、コントローラ、インタフェース、等、および、特に、電気通信サービスの提供において使用される任意の装置などの複数のネットワーク要素を備える。
【００３９】
記述された要素の一般的な機能および相互接続は、また、実際のネットワーク・タイプに依存し、当業者には既に知られており、そして、対応する仕様において、ここでは、その詳しい説明は、省略されるように、記載する。しかしながら、いくつかの追加的なネットワーク要素および信号伝達リンクは、ここにおいて以下で詳述するそものの他に、基地局との通信および通信ネットワークのために使用することができることに留意すべきである。
【００４０】
一般的に、秘匿ノード問題は、そのように良く知られたものである。例示的なシナリオは、図１に表される。２つのＬＴＥ  ＬＡＡ  ｅＮｏｄｅＢｓ、および、２つのＷｉＦｉアクセス・ポイントが、互いに近くに位置している。サービスｅＮｏｄｅＢ  ｅＮＢ１が、他のＬＴＥ  ＬＡＡ  ｅＮＢ１と同様に、ＷＬＡＮノード１を「聞く」ことができる。したがって、これらのノードの間の資源共用は、単に、ＬＢＴ手順に頼ることができる。更にまた、２つのＬＴＥ  ｅＮｏｄｅＢｓ（ｅＮＢ１とｅＮＢ２）が、互いに同期する（例えば、同じオペレータに属している）ならば、いくつかの、さらに複雑な干渉調整が、可能である。例として、整列したフレーム・タイミングを有する２つのＬＴＥ同期ｅＮｏｄｅＢは、たとえ、それらが互いを聞くことができるとしても、伝送の開始だけでなく、それらのＬＢＴタイム・インスタンスが、整列するという条件で、同時に伝送することができる。
【００４１】
しかしながら、図１において、提示されるように、さらに、サービスするｅＮｏｄｅＢ  ｅＮＢ１が聞くことができないし、知らない、しかし、ｅＮＢ１によってサービスされるＵＥは、聞くことができる秘匿ノード、すなわち、ＷｉＦｉ  ＡＰ  ＷＬＡＮノード２が存在する。サービスするｅＮＢ１は、ＷＬＡＮノード２を聞くことができないので、いずれにしても、ｅＮＢ１におけるＬＢＴの結果にインパクトをあたえない。そして、逆もまた同じである。ｅＮＢ１のダウンリンクＤＬ伝送は、ＷＬＡＮノード２の挙動にインパクトをあたえない。ＵＥにおけるダウンリンク・パフォーマンスは、影響を受けるが、一般に、レギュラーのＣＳＩレポートおよびリンク適応により取り扱うことができる。
【００４２】
ＵＥによるアップリンクＵＬ伝送も考慮されるとき、状況は変化する。本願の例における仮定は、そのＵＥが、秘匿ノード（すなわち、ＷＬＡＮノード２）の合理的近傍に位置し、ＬＢＴ手続きのために、所与の時点で、ＵＥだけ、またはＷＬＡＮノード２だけが、伝送できるが、しかし、両方はできないことである。すべてのＵＥのＵＬ伝送は、ＷＬＡＮノード２の存在を知らないサービス提供ｅＮＢ１により予定されているので、これは、ＵＬ動作をむしろ複雑にする。サービス提供ｅＮＢ１は、ＵＬグラントが使用されていないが、これが、それ（ＷＬＡＮノード１）を知っているノード、または、それ（ＷＬＡＮノード２）を「聞く」ことができないノードによって引き起こされるか否かをいうことはできないことを理解することができる。
【００４３】
また、図１が、例としてＷＬＡＮノードを図示しているが、同じ効果は、同じ免許不要帯域で展開される別のシステムによって引き起こされることに留意すべきである。すなわち、ＷＬＡＮノード１およびＷＬＡＮノード２は、異なるオペレータのネットワークが、同期していないと仮定して、別のオペレータのＬＡＡ  ｅＮＢｓによって置き換わることもできた。更なる問題は、オペレータ間の同期であり得る。
【００４４】
上述した問題に対する直線的なソリューションは、ＵＥによるチャネル状態情報ＣＳＩレポートに頼ることである。ＣＳＩは、例えば、基本的に、ｅＮｏｄｅＢからＵＥがうまく受信できたデータの、変調およびコード体系／搬送ブロック・サイズＭＣＳ／ＴＢＳを表すチャンネル品質標示ＣＱＩを備える。原則として、ＣＱＩは、また、間接的に、ＵＥで観察された信号・干渉およびノイズ比率（ＳＩＮＲ：Ｓｉｇｎａｌ−ｔｏ−Ｉｎｔｅｒｆｅｒｅｎｃｅ−ｐｌｕｓ−Ｎｏｉｓｅ  Ｒａｔｉｏ）と考えることができる。しかしながら、ＳＩＮＲは、秘匿ノードが存在するかどうか、または、ＵＥがＵＬで送信することができるかどうか、すなわち、ＵＥが、チャネルを、占有されていると見るかどうか、を決定するためには十分ではない。これは、ＬＢＴは、エネルギー検出、すなわち、干渉測定に基づいて決定されるという事実による。たとえ、干渉レベルが、規則の要求によりセットされる閾値レベルＴＬを上回るとしても、ＵＥは、高いＣＱＩをレポートすることができる（そして、それゆえに、高いＳＩＮＲを観察する）。
【００４５】
上で示されるように、秘匿ノード検出に関連した別の問題は、測定のために使用されるリソースに関連する。この測定は、秘匿ノード、すなわちサービス提供ｅＮｏｄｅＢに見えないノードからくる干渉をキャプチャしなければならないだけである。図１における例を考慮すると、秘匿ノード検出のための測定は、ＷＬＡＮノード２から干渉をキャプチャしなければならないだけである、しかし、ＬＢＴ手続き、（または、ＬＴＥ  ｅＮＢ２の場合には、伝送の調整とアライメント）は、合理的な共存を確実にしなければならないので、ＷＬＡＮノード１またはｅＮＢ２ではない。
【００４６】
したがって、本願発明は、ＬＴＥ  ＬＡＡにおいて効率的な秘匿ノード検出を容易にする関連したシグナリングと並んで方法論を提供する。秘匿ノード検出は、例えば、ＵＬ操作がキャリアにおいて可能かどうか、または、例えば、ＤＬ伝送だけを実行することに、より妥当性があるかどうかを決定するのに、ネットワークを支援することができる。
【００４７】
本願発明の特定の例示的なバージョンにしたがって、第１に、特定の（時間／周波数）リソースが、秘匿ノード検出測定ＨＮＤＭ（ステップ１）で決定される。
【００４８】
それによって、特定の実施形態にしたがって、そのリソースは、望ましくはＣＳＩ干渉測定ＣＳＩ−ＩＭリソースであり、ＵＥに対して、ラジオ資源管理ＲＲＣシグナリング（すなわち、ゼロ・パワーＣＳＩ参照符号ＺＰ−ＣＳＩ−ＲＳリソース、周期性、サブフレーム・オフセット）を介して、構成される。
【００４９】
更に、同じキャリアの上で動作するＬＴＥ  ＬＡＡセル（ｅＮｏｄｅＢｓ）は、各々のｅＮｏｄｅＢが、ＨＮＤＭに対して同じリソースを割り当てるように、ＣＳＩ−ＩＭアロケーションを調整することができる。特に、少なくとも、同じＰＣｅｌｌを有する同じオペレータのＬＴＥ  ＬＡＡセルの間では、これは容易でなければならない。
【００５０】
別の実施形態において、このリソースは、ＰＳＳおよびＳＳＳ信号のまわりのゼロ・パワー・サブキャリアである。これらは、周波数領域において、ＣＳＩ−ＩＭリソースほど代表的でないが、しかし、同期ネットワークの場合には、あらゆるｅＮＢの伝送の同じ時間／周波数位置に存在する。この実施形態は、所定の測定リソースをこのように使用し、その目的のために明示的なシグナリングを必要としない。
【００５１】
次に、本願発明の例示的なバージョンにしたがって、ＨＮＤＭリソースが構成されるサブフレーム、各々に対して、ＵＥは、サービス提供ｅＮｏｄｅＢ／セルは、チャネルを占有したか否かを決定する（ステップ２）。
【００５２】
これは、非秘匿ノードからの干渉ノード（図１におけるＷＬＡＮノード１など）は、測定されないことを確実にするために必要である。ＵＥは、サービス提供ｅＮＢは、現在のサブフレームにおいてアクティブであることを決定するとき、それは、サービス提供ｅＮＢが、ＬＢＴ手続きの間に、フリー・チャネルを検出したこと、すなわち、その非秘匿ノードは、（おそらく、ＬＴＥ  ＬＡＡノードがサービス提供ｅＮｏｄｅＢと同期したことを除いて）伝送していないことを意味する。
【００５３】
サービス提供ｅＮｏｄｅＢが動作チャネル、サービス提供ｅＮｏｄｅＢ  （ＬＴＥ  ＬＡＡ  Ｓｃｅｌｌ）、または、ライセンス帯域の上のＰＣｅｌｌを占有することの明示的な標示として、サブフレームの所与のセットが、ＬＴＥ  ＬＡＡによってＤＬ伝送のために使用されるか否かは、明示的に示されることができる。
【００５４】
それによって、ＵＥは、例えば、ＤＬスケジューリングに基づく、サービス提供ｅＮｏｄｅＢのチャネル占有を決定することができる。すなわち、ＵＥが、物理ダウンリンク制御チャネルＰＤＣＣＨの上のＤＬ割り当てを受信するならば、それは、サービス提供ｅＮｏｄｅＢが、前記動作チャネルを占有していることを知る。
【００５５】
その後、本願発明の例示的なバージョンにしたがって、ＵＥは、決定されたリソースにしたがって（すなわち、ステップ１）、ステップ２にしたがう場合に、ＨＮＤＭを実行する。サービス提供ｅＮｏｄｅＢは、前記動作チャネルを占有している（ステップ３）。
【００５６】
それによって、その測定は、例えば、観察された干渉が所与の閾値を上回るかどうか示す、１ビットの情報であることができる。
【００５７】
更に、閾値は、例えば、規則の要求に基づいて決定されることができ、または、ＲＲＣシグナリングを介してＵＥに対して構成されることができる。代替的に、測定は、Ｎビット（Ｎ＞１）に量子化された観察された干渉レベルを示すことができる。
【００５８】
最後に、本願発明の例示的なバージョンにしたがって、ＵＥは、ＨＮＤＭ結果をサービス提供ｅＮｏｄｅＢにレポートする（ステップ４）。
【００５９】
本願発明のさらに例示的なバージョンにしたがって、ＨＮＤＭは、同様に、ＣＳＩレポートとしてレポートされることができる。
【００６０】
更に、ｅＮｏｄｅＢは、例えば、ＨＮＤＭ結果の周期的なレポートに対して別々の分離した物理アップリンク制御チャネルＰＵＣＣＨリソースを構成することができる。
【００６１】
また、さらに、そのレポートは、ライセンス周波数帯の上でＰＣｅｌｌの上で起こることができる。
【００６２】
レポートの構成は、循環シフトなどの周期性、サブフレーム・オフセット、および、このＰＵＣＣＨリソース・インデックスを含むことができる。
【００６３】
代替的に、ＨＮＤＭ結果は、周期的または非周期的ＣＳＩレポートに埋め込むことができる。例えば、ＨＮＤＭは、ＲＲＭ測定として、同様にレポートされることができる。このオプションでは、ＵＥは、構成されたリソースから受信シグナル長標示ＲＳＳＩを基本的に測定し、それを、サービス提供ｅＮｏｄｅＢにレポートして返す。
【００６４】
ＨＤＭＮ測定に基づいて、サービス提供ｅＮｏｄｅＢは、この秘匿ノードの存在の理解を得て、よりよく、所与のＵＥに対するＵＬ伝送をスケジュールするか否かを決めることができる。
【００６５】
図２は、本願開示のいくつかの例示的バージョンにしたがって、例えば、ＬＴＥ環境の下で、ユーザ機器により実行することができる方法を示す。
【００６６】
ステップＳ２１において、秘匿ノード検出測定のためのリソースが、決定される。
【００６７】
次に、ステップＳ２２において、秘匿ノード検出測定のためのどのリソースが位置するサブフレームに対して、第１のサービス提供ネットワーク要素が、それぞれの動作チャネルを占有するかどうかが決定される。
【００６８】
更に、ステップＳ２３において、第１サービス提供ネットワーク要素が、動作チャネルを占有していると判断される場合には、秘匿ノード検出測定は、決定されたリソースにおいて実行される。
【００６９】
また、さらに、ステップ２４において、秘匿ノード検出測定結果が、第２のサービス提供ネットワーク要素に送信される。
【００７０】
それによって、第１サービス提供セルが、アンライセンス・キャリアの上にあることができ、第２サービス提供セルが、ライセンス・キャリアの上にあることができる。ここで、第１および第２セルは、キャリア・アグリゲーションを用いてアグリゲートされ、第１のセルは、二次セルであることができ、第２セルは、主セルであることができる。
【００７１】
図３において、ＬＴＥ  ＬＡＡで動作可能なユーザ機器など、ネットワーク要素に含まれる要素の構成を図示している図は、本願開示のいくつかの例示的バージョンにしたがって、本願開示の例バージョンのいくつかに関連して記述される、ＬＴＥ  ＬＡＡに対する、改善された秘匿ノード検出をインプリメントするように、どれが、構成されるかが示される。この実施形態は、ネットワーク要素（例えば、ＵＥ）において、または、それによって実行されることができる。ネットワーク要素は、チップセット、チップモジュール等の要素または機能を備えることができることに留意すべきである。それらは、また、ネットワーク要素の部分、または、分離した要素としてネットワーク要素に取り付けられるもの、または、その他でありえる。各々のブロックとそのどんな組合せでも、例えば、ハードウェア、ソフトウェア、ファームウェア、１つ以上のプロセッサや回路など種々の手段、または、それらの組合せによりインプリメントすることができることが理解されるべきである。
【００７２】
図３において示されるネットワーク要素３０は、処理機能、制御ユニットまたは、ネットワーク要素制御手続きに関するプログラムその他によって与えられる命令を実行するのに適切な、ＣＰＵまたはその他のプロセッサ３１を備えることができる。
【００７３】
プロセッサ３１は、ＬＴＥ  ＬＡＡに対する上述された秘匿ノード検出に関係する処理を実行するように構成される。特に、プロセッサ３１は、秘匿ノードの検出測定のためのリソースを決定するように構成される第１決定ユニットとしてサブ部分３１０を備え、その部分３１０は、図２のＳ２１にしたがって、処理を実行するように構成することができる。更にまた、プロセッサ３１は、秘匿ノード検出測定のためのリソースが位置するサブフレームに対して、第１のサービス提供ネットワーク要素がそれぞれの動作チャネルを占有するか否かを判断するように構成された第２決定ユニットとして使えるサブ部分３１１を備える。部分３１１は、図２のＳ２２にしたがって処理を実行するように構成することができる。更にまた、プロセッサ３１は、第１サービス提供ネットワーク要素が、動作チャネルを占有していると判断される場合には、決定されたリソースによって秘匿ノード検出測定を実行するように構成された処理ユニットとして使えるサブ部分３１２を備える。その部分３１２は、図２のＳ２３にしたがって、処理を実行するように構成することができる。更にまた、プロセッサ３１は、秘匿ノード検出測定結果を第２サービス提供ネットワーク要素に伝送させるように構成された通信ユニットとして使えるサブ部分３１３を備える。部分３１３は、図２のＳ２４にしたがって、処理を実行するように構成することができる。
【００７４】
参照記号３２および３３は、トランシーバ、または、プロセッサ３１に接続された入出力（Ｉ／Ｏ）ユニット（インタフェース）を意味する。Ｉ／Ｏユニット３２は、ネットワーク要素と通信するために用いることができる。Ｉ／Ｏユニット３３は、管理アプリケーションと通信するために用いることができる。参照記号３４は、例えば、データ、および、プロセッサ３１によって実行されるプログラムを格納するために、および／または、プロセッサ３１の作業用ストレージとして使えるメモリを意味する。
【００７５】
図４は、本願開示のいくつかの例示的バージョンにしたがって、例えば、ＬＴＥ環境の下でベース局、または、ネットワーク要素により実行することができる方法を示す。
【００７６】
ステップＳ４１において、秘匿ノード検出測定のためのリソースが、決定される。
【００７７】
次に、ステップＳ４２において、ユーザ機器が秘匿ノード検出測定のためのどのリソースが位置するサブフレームに対して、第１のサービス提供ネットワーク要素がそれぞれの動作チャネルを占有するか否かを決定することを可能にする標示が、ユーザ機器に送信される。第１サービス提供ネットワーク要素が、動作チャネルを占有していると判断される場合には、前記決定されたリソースにおいてユーザ機器により秘匿ノード検出測定を実行する。
【００７８】
更に、ステップＳ４３において、秘匿ノード検出測定結果が、ユーザ機器から受け取られる。
【００７９】
それによって、前記決定されたリソースに関する情報を、第１基地局により、第２基地局にさらに送信することができる。同様に、前記決定されたリソースに関する情報を、基地局またはネットワーク要素によって、ユーザ機器に、伝送することができる。
【００８０】
それによって、前記決定されたリソースに関する情報を、第１基地局により、第２基地局にさらに送信することができる。同様に、前記決定されたリソースに関する情報を、基地局またはネットワーク要素によって、ユーザ機器に、伝送することができる。
【００８１】
更に、第１のサービス提供ネットワーク要素が動作チャネルを占有するという標示は、所与のサブフレーム、または、サブフレームのセットが、前記ＬＡＡ（ｌｉｃｅｎｓｅｄ  ａｓｓｉｓｔｅｄ  ａｃｃｅｓｓ）におけるダウンリンク送信のために使用されることでありえる。また、さらに、第１サービス提供ネットワーク要素のチャネル占有の前記標示は、ダウンリンク・スケジューリングであることができる。ここで、物理ダウンリンク制御チャネルの上のダウンリンク制御情報の送信は、第１サービス提供ネットワーク要素が動作チャネルを占有していることを示す。
【００８２】
図５において、本願開示のいくつかの例示的バージョンにしたがって、基地局またはネットワーク要素に含まれる要素の構成を図示している図が、示され、これは、開示の例バージョンのいくつかと関連して記述されたＬＴＥ  ＬＡＡに対する、改善された秘匿ノード検出をインプリメントするように構成される。
【００８３】
この構成は、少なくとも１つのプロセッサ５１と、プロセッサ５１によって実行される命令を格納するための少なくとも１つのメモリ５２と、を備える。ここで、その少なくとも１つのメモリ５２および命令は、少なくとも１つのプロセッサ５１を用いて、装置に、少なくとも、図４にしたがうステップを実行させるように構成される。それによって、秘匿ノードの検出測定のためのリソースを決定するための決定ユニット５３と、ユーザ機器に標示を送信するための通信ユニット５４とは、ユーザ機器が秘匿ノード検出測定のためのどのリソースが位置するサブフレームに対して、第１のサービス提供ネットワーク要素がそれぞれの動作チャネルを占有するか否かを決定することを可能にする。そして、第１サービス提供ネットワーク要素が、動作チャネルを占有していると判断される場合には、決定されたリソースにおいてユーザ機器により秘匿ノード検出測定を実行し、ユーザ機器から秘匿ノード検出測定結果を受信するための受信ユニット５５が、この構成に、提供される。
【００８４】
本願発明の上述した例示的なバージョンのステップ２で述べたように、ＵＥは、サービス提供ｅＮＢがアクティブに伝送しているＤＬサブフレーム中でだけ測定を実行しなければならない。そのように、ＵＥは、ｅＮＢは、ＬＢＴ手続きの間に、チャネルをフリーあると評価し、それゆえに、非秘匿ノードが、（おそらく、ＬＴＥ  ＬＡＡノードがサービス提供ｅＮｏｄｅＢと同期したことを除いて）伝送していないとみなすことができる。そして、ＵＥは、秘匿ノードだけからの干渉を測定することになるべきである。
【００８５】
ＵＥが、サービス提供ｅＮＢが、ＤＬ伝送を実行していることを検出する例として、少なくとも２つのオプションが、提供される。一方では、興味深いことに、ＵＥは、所与のサブフレームで、それ自体がスケジュールされ、およびしたがって、所与のアンライセンス・チャネルの上の物理ダウンリンク制御チャネルＰＤＣＣＨにおいてスケジューリング割当てダウンリンク制御情報ＤＣＩを見つける。他方では、もし、所与のＵＥがスケジュールされていないならば、ｅＮＢは、アンライセンス・サービル提供セル、または、ライセンス・キャリアの上のＰＣｅｌｌのいずれかのＰＤＣＣＨにおいて、明示的にそのＤＬ活動を信号伝達することができる。そのようなＤＣＩは、すべての関連するＵＥが、それを検出し、復号化できるように、共有サーチ領域を占有することができる。
【００８６】
第２に、測定をＵＥがどのように実行するかを特定されることになっている。基本的に本願発明の非限定的な例示的バージョンとしてあげると、（１）ＲＲＭ測定、（２）ＣＳＩ−ＩＭ測定、および（３）ＬＢＴタイプの測定、の３つのオプションがある。
【００８７】
それによって、ＣＳＩ−ＩＭ測定、オプション（２）は、好適はオプションでありえる。ＲＲＭ測定は、ＣＳＩ測定よりも、よりヘビーなシグナリングである。そして、それらは、サービス提供セルではない他のセルを測定するために、主に使用される。また、（測定ギャップを介して）ＲＲＭ測定が他のチャネルにおいても実行されることができるが、ｅＮＢのＬＢＴ結果に、他のチャネルは結びつきはなく、したがって、秘匿ノードは、検出されることができない。最後のオプション（３）は、新規の手続きの規定を要求し、したがって、より好適ではない。
【００８８】
ＣＳＩ−ＩＭに基づくＵＥ測定は、また、好適である。隣接するｅＮＢｓが、対応するＺＰ  ＣＳＩ−ＲＳと、同じリソース要素を占有するように調整することができるからである。そのように、ＵＥが、サービス提供ｅＮＢがＤＬを有するサブフレームにおいてＣＳＩ−ＩＭ測定を実行するとき、測定されたリソース要素の上に存在する自身のネットワーク（またはクラスタ）からの干渉がない。
【００８９】
加えて、もし、ＺＰ  ＣＳＩ−ＲＳが、ＤＬ伝送が開始されるのと同じサブフレームに位置するならば（好適な実施形態）、ｅＮＢとＵＥ測定との間の時間差は、例えば、１ｍｓ以下である。これは、秘匿ノードの潜在的な存在を評価するために、すでに十分に近いと仮定することができる。低遅延は、ＷＬＡＮノードが、それらの状態をアクティブからサイレントまたはバックへと変化する可能性を減少させるからである。ノードの状態は、まだ、遅延において、変化することができたことが正しい間、秘匿ノード検出測定は、より正確な仮説を構築するために、繰り返すことができ、または、時間領域でフィルタ処理されることができる。
【００９０】
所与のＣＳＩプロセスのＣＳＩ−ＩＭリソース要素は、ワイドバンド（すなわち、すべてのＰＲＢペアに現れる）であるが、しかし、すべてのサブキャリアをカバーするというわけではない。干渉測定をＣＣＡ閾値と比較するために、測定は、適切にスケーリングされなければならない。適用する閾値は、例えば、２３ｄＢｍの伝送パワーと０ｄＢｉアンテナによる、−７３ｄＢｍ／ＭＨｚ、などのヨーロッパ電気通信標準化協会ＥＴＳＩの要求から提供された固定値であることもできる。あるいは、それは、ＲＲＭによって信号伝達される設定可能な値であることができる。
【００９１】
第３に、ＵＥは、ｅＮＢへ測定の結果をレポートしなければならない。本願発明の例示的なバージョンにしたがう、好適な方法は、ＣＳＩレポートにおいて、新規の１ビット情報をつくり、閾値を超えたかどうかを信号伝達することである。追加の１ビット・フィールドは、メイン・ポイントが、秘匿ノードが送信しているか否か絶えず追跡するようにするよりむしろ、秘匿ノードが、存在するか否かを識別することだけであるならば、すべてのＣＳＩレポートに存在する必要はない。そのようなケースにおいては、ＨＮＤＭレポートの周期性は、通常のＣＳＩレポートのものとは別に構成されることができた。別の方法は、ＲＲＭ測定レポート・フレームワークを使用することである。しかしながら、ＲＲＭ測定レポートは、それらがＭＡＣ／ＰＤＣＰ／ＲＬＣヘッダを含むから、などの理由で、より大きなものである。
【００９２】
本願発明の例示的なバージョンにしたがう、信号伝達およびアクション・フローが、図６において図示される。
【００９３】
秘匿ノード測定リソースは、サービス提供ｅＮＢ１、ＵＥ、および、ｅＮＢ  ２の間で調整される。
【００９４】
サービス提供ｅＮＢ１は、ＵＥにシグナリングを送信し、秘匿ノード測定リソースの構成を示す。オプションとして、閾値を構成する要求が、ＵＥに送信される。
【００９５】
次に、ＵＥが、これがサービス提供ｅＮＢのアクティブなＤＬサブフレームであるかどうかを検出する。アクティブであるＤＬサブフレームが存在するならば、構成されたリソースにおいて、干渉の測定が、ＵＥによって、実行される。その後、その干渉は、ＵＥによって、閾値と比較される。
【００９６】
最後に、ＵＥは、レポート結果（ＣＳＩまたはＲＲＭ）を、サービス提供ｅＮＢ１に送信する。そして、それは秘匿ノードが存在するか否かを評価する。次に、スケジューリングＵＬ、または、変化しているチャネルが、サービス提供ｅＮＢ  １により考慮される。
【００９７】
たとえ、上の例が、ＬＡＡおよび免許不要帯域を利用する動作の視点から記述されたとしても、ここに記述される特徴は、また、ライセンス・スペクトルを利用している他の共存シナリオに対して、等しく有効である。例えば、ＬＳＡ（Ｌｉｃｅｎｓｅｄ  Ｓｈａｒｅｄ  Ａｃｃｅｓｓ）は、そのようなシナリオの例である。ＬＳＡは、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）に識別されるが、しかし、ＩＭＴ配備のためにはクリアされないスペクトルへのアクセスを可能にするスペクトル共用概念である。コプライマリ共用（ｃｏ−ｐｒｉｍａｒｙ  ｓｈａｒｉｎｇ）は、別の例である。コプライマリ共用（ｃｏ−ｐｒｉｍａｒｙ  ｓｈａｒｉｎｇ）は、いくつかの主要ユーザ（オペレータ）は、動的に、または、半静的にスペクトルを共有するスペクトル共用を指す。これは、例えば、３．５ＧＨｚにおける小セルに用いることができる。オペレータの間でのスペクトル共用は、レギュレータがそれを強制するか、および／または、オペレータがそれを必要とするならば、起こる。このように、ここに記載される特徴は、また、ＬＳＡおよびＣｏ−プライマリ共有に適用できる。
【００９８】
本願発明の実施形態は、回路として、ソフトウェア、ハードウェア、アプリケーション・ロジック、または、ソフトウェア、ハードウェアおよび、アプリケーション・ロジックの組合せでインプリメントすることができることに留意すべきである。例示的実施形態において、アプリケーション・ロジック、ソフトウェア、または、命令セットは、種々の従来のコンピュータ読取り可能媒体の、いずれか１つの上に維持される。本願文書のコンテキストにおいて、「コンピュータ読取り可能メディア」は、コンピュータまたはスマート・フォンまたはユーザ機器などの命令の実行システム、装置、または、デバイスにより、または、関連して使用するために、その命令を含み、格納し、通信し、伝え、伝送し、あるいは、搬送することができるいかなるメディア、または、手段でもあり得る。
【００９９】
本願にて用いられているように、「回路」という用語は、
（ａ）ハードウェアのみの回路インプリメンテーション（例えば、アナログおよび／またはデジタル回路だけのインプリメンテーション）、および、
（ｂ）（ｉ）プロセッサの組合せに、または
（ｉｉ）プロセッサ／ソフトウェア（デジタルシグナルプロセッサを含む）の部分、ソフトウェア、および、モバイル・フォンまたはサーバなどの装置に、種々の機能を実行させるために一緒に動作するメモリに適用できるように、回路とソフトウェア（および／またはファームウェア）との組合せ、および、
（ｃ）たとえソフトウェアまたはファームウェアが物理的に存在しないとしても動作のためにソフトウェアまたはファームウェアを必要とするマイクロ・プロセッサ、または、マイクロ・プロセッサの部分などの回路、
の全てを指す。この「回路」の定義は、本願において、すべての請求項を含む、この用語のすべての使用について適用される。さらなる例として、本願にて用いられているように、「回路（ｃｉｒｃｕｉｔｒｙ）」の用語は、また、単にプロセッサ（または、マルチプロセッサ）またはプロセッサの部分、および、その（あるいは、それらの）付随するソフトウェアやファームウェアのインプリメンテーションをカバーする。用語「回路」は、また、例えば、特定の主張要素に適用できるならば、ベースバンド集積回路、または、携帯電話のための応用プロセッサ集積回路、または、サーバ、携帯電話ネットワーク・デバイス、または、他のネットワーク・デバイスにおける同様な集積回路をもカバーする。
【０１００】
必要に応じて、ここに議論される異なる機能を、互いに、異なる順序で、および／または、並行して実行することができる。更にまた、必要に応じて、上記の機能のうちの１つ以上は、オプションでありえる、または、結合されることができる。
【０１０１】
本願発明の種々の態様が、独立形式の請求項において述べられたけれども、発明の他の態様は、記述された実施形態や、独立形式の請求項の特徴を有する従属する請求項からの特徴の他の組合せを備え、請求項において、単に明示的に述べられる組合せだけではない。
【０１０２】
本願発明の上記の記述された例示的実施形態は、限定的に見られるべきでないことも、また、理解されなければならない。むしろ、添付の請求項において規定されるように、本願発明の範囲を逸脱しない範囲で作ることができるいくつかのバリエーションおよび修正が存在する。
【０１０３】
本願明細書において使用される略語に対する以下の意味が、適用される。
【０１０４】
３ＧＰＰ：第３世代協力プロジェクト（３ｒｄ  Ｇｅｎｅｒａｔｉｏｎ  Ｐａｒｔｎｅｒｓｈｉｐ  Ｐｒｏｊｅｃｔ）
ＣＣＡ：クリアチャネル評価（ｃｌｅａｒ  ｃｈａｎｎｅｌ  ａｓｓｅｓｓｍｅｎｔ）
ＣＳＩ：チャネル状態情報（ｃｈａｎｎｅｌ  ｓｔａｔｅ  ｉｎｆｏｒｍａｔｉｏｎ）
ＣＳＩ−ＩＭ：ＣＳＩ干渉測定（ＣＳＩ  ｉｎｔｅｒｆｅｒｅｎｃｅ  ｍｅａｓｕｒｅｍｅｎｔ）
ＣＳＩ−ＲＳ：ＣＳＩ干渉シンボル（ＣＳＩ  ｒｅｆｅｒｅｎｃｅ  ｓｙｍｂｏｌｓ）
ＤＬ：ダウンリンク（Ｄｏｗｎｌｉｎｋ）
ｅＮＢ：発展ＮｏｄｅＢ（ＬＴＥ基地局）（ｅｖｏｌｖｅｄ  Ｎｏｄｅ  Ｂ  （ＬＴＥ  Ｂａｓｅ  Ｓｔａｔｉｏｎ））
ＨＮＤＭ：秘匿ノード検出測定（Ｈｉｄｄｅｎ  Ｎｏｄｅ  Ｄｅｔｅｃｔｉｏｎ  Ｍｅａｓｕｒｅｍｅｎｔ）
ＬＡＡ：ライセンス支援アクセス（ｌｉｃｅｎｓｅｄ  ａｓｓｉｓｔｅｄ  ａｃｃｅｓｓ）
ＬＢＴ：ＬＢＴ（ｌｉｓｔｅｎ  ｂｅｆｏｒｅ  ｔａｌｋ）
ＬＴＥ：ＬＴＥ（Ｌｏｎｇ  Ｔｅｒｍ  Ｅｖｏｌｕｔｉｏｎ）
ＰＣｅｌｌ：主セル（Ｐｒｉｍａｒｙ  Ｃｅｌｌ）
ＰＲＢ：物理リソース・ブロック（Ｐｈｙｓｉｃａｌ  Ｒｅｓｏｕｒｃｅ  Ｂｌｏｃｋ）
ＲＲＭ：ラジオ資源管理（ｒａｄｉｏ  ｒｅｓｏｕｒｃｅ  ｍａｎａｇｅｍｅｎｔ）
ＳＣｅｌｌ：二次セル
ＵＥ：ユーザ機器、すなわち、モバイル端末
ＵＬ：アップリンクＷＬＡＮ：無線ローカル・エリア・ネットワーク、ＷｉＦｉ
ＺＰ  ＣＳＩ−ＲＳ：ゼロ・パワーＣＳＩ−ＲＳ
【図１】
0006454014.tif 000002
【図２】
0006454014.tif 000003
【図３】
0006454014.tif 000004
【図４】
0006454014.tif 000005
【図５】
0006454014.tif 000006
【図６】
0006454014.tif 000007